(57)【要約】本発明は、反射性電気光学ディスプレイおよびそのようなディスプレイにおいて使用するための材料に関する。より具体的には、本発明は、低減された残留電圧を伴うディスプレイおよび電気光学ディスプレイ内の残留電圧を低減させるための駆動方法に関する。少なくとも１つのディスプレイピクセルを有するディスプレイを駆動するための方法が、提供され、本方法は、波形を少なくとも１つのディスプレイピクセルに印加するステップと、浮遊状態をディスプレイピクセル上で維持するステップと、ディスプレイピクセルを短絡させるステップとを含んでもよい。
2020528575.tif 000002
【特許請求の範囲】
【請求項１】
少なくとも１つのディスプレイピクセルを備えるディスプレイを駆動するための方法であって、前記方法は、
波形を前記少なくとも１つのディスプレイピクセルに印加するステップと、
浮遊状態を前記ディスプレイピクセル上で維持するステップと、
前記ディスプレイピクセルを短絡させるステップと
を含む、方法。
【請求項２】
前記短絡させるステップは、前記浮遊状態を維持するステップより長い持続時間を有する、請求項１に記載の方法。
【請求項３】
前記浮遊状態を維持するステップの間、電位は、前記少なくとも１つのディスプレイピクセルに印加されない、請求項１に記載の方法。
【請求項４】
前記波形を印加するステップ、前記浮遊状態を維持するステップ、および前記ディスプレイピクセルを短絡させるステップ間の正味電位は、実質的にＤＣ平衡される、請求項１に記載の方法。
【請求項５】
前記浮遊状態を維持するステップは、１〜１０秒の持続時間を有する、請求項１に記載の方法。
【請求項６】
前記浮遊状態を維持するステップは、０〜０．５秒の持続時間である、請求項１に記載の方法。
【請求項７】
前記浮遊状態を維持するステップは、０〜１秒の持続時間である、請求項１に記載の方法。
【請求項８】
前記浮遊状態を維持するステップは、０〜３秒の持続時間である、請求項１に記載の方法。
【請求項９】
前記浮遊状態を維持するステップは、０〜５秒の持続時間である、請求項１に記載の方法。
【請求項１０】
前記短絡させるステップは、０〜３０秒の持続時間である、請求項１に記載の方法。
【請求項１１】
電気光学ディスプレイであって、
少なくとも１つのディスプレイピクセルと、
駆動波形を前記ディスプレイピクセルに印加するために前記少なくとも１つのディスプレイピクセルに結合される伝導経路と、
前記伝導経路のインピーダンス値を調節するための手段と
を備える、電気光学ディスプレイ。
【請求項１２】
前記インピーダンス値を調節するための手段は、スイッチである、請求項１１に記載のディスプレイ。
【請求項１３】
前記インピーダンス値を調節するための手段は、トランジスタである、請求項１１に記載のディスプレイ。
【請求項１４】
前記インピーダンス値を調節するための手段は、インピーダンス回路である、請求項１１に記載のディスプレイ。
【請求項１５】
前記インピーダンス回路のインピーダンス値は、調節可能である、請求項１１に記載のディスプレイ。
【発明の詳細な説明】
【技術分野】
【０００１】
（関連出願の相互参照）
本願は、２０１７年７月２４日に出願された、米国仮出願第６２／５３６，３０１号に関連し、その優先権を主張する。前述の出願の開示全体は、参照することによって本明細書に組み込まれる。
【０００２】
本発明は、反射性電気光学ディスプレイおよびそのようなディスプレイにおいて使用するための材料に関する。より具体的には、本発明は、低減された残留電圧を伴うディスプレイおよび電気光学ディスプレイ内の残留電圧を低減させるための駆動方法に関する。
【背景技術】
【０００３】
直流電流（ＤＣ）非平衡波形によって駆動される電気光学ディスプレイは、残留電圧を生産し得、本残留電圧は、ディスプレイピクセルの開回路電気化学電位を測定することによって確認可能である。残留電圧は、原因および影響の両方において、電気泳動および他のインパルス駆動式電気光学ディスプレイにおけるより一般的な現象であることが見出されている。また、ＤＣ非平衡は、いくつかの電気泳動ディスプレイの長期寿命劣化を引き起こし得ることが見出されている。
【０００４】
用語「残留電圧」はまた、時として、全体的現象を指す便宜的用語としても使用される。しかしながら、インパルス駆動式電気光学ディスプレイの切替挙動のための基本は、電気光学媒体を横断した電圧インパルス（時間に対する電圧の積分）の印加である。残留電圧は、駆動パルスの印加の直後にピーク値に到達し得、その後は、実質的に指数関数的に減衰し得る。有意な時間周期にわたる残留電圧の存続は、「残留インパルス」を電気光学媒体に印加し、厳密には、残留電圧ではなく、本残留インパルスが、通常、残留電圧によって生じると考えられる、電気光学ディスプレイの光学状態への影響に関与し得る。
【０００５】
理論上、残留電圧の影響は、直接、残留インパルスに対応するはずである。しかしながら、実際は、インパルス切替モデルは、低電圧において正確度を失い得る。いくつかの電気光学媒体は、約１Ｖの残留電圧が、駆動パルスが終了した後、媒体の光学状態の顕著な変化を引き起こさない場合があるように、閾値を有する。しかしながら、本明細書に説明される実験において使用される好ましい電気泳動媒体を含む、他の電気光学媒体では、約０．５Ｖの残留電圧は、光学状態の顕著な変化を引き起こし得る。したがって、２つの等価残留インパルスは、実際の結果において異なり得、電気光学媒体の閾値を増加させ、残留電圧の影響を低減させることが有用であり得る。Ｅ  Ｉｎｋ  Ｃｏｒｐｏｒａｔｉｏｎは、いくつかの状況において被られる残留電圧が、駆動パルスが終了した後、ディスプレイ画像を直ちに変化させることを防止するために適正な「小閾値」を有する、電気泳動媒体を生産した。閾値が、不適正である場合、または残留電圧が、高すぎる場合、ディスプレイは、キックバック／自己消去または自己改良現象を提示し得る。用語「光学キックバック」は、本明細書では、少なくとも部分的に、ピクセルの残留電圧の放電に対する応答を引き起こす、ピクセルの光学状態の変化を説明するために使用される。
【０００６】
残留電圧が、小閾値を下回るときでも、それらが、依然として、次の画像更新が生じるときに存続する場合、それらは、深刻な影響を画像切替に及ぼし得る。例えば、電気泳動ディスプレイの画像更新の間、＋／−１５Ｖ駆動電圧が、電気泳動粒子を移動させるために印加されると仮定する。＋１Ｖ残留電圧が、前の更新から存在する場合、駆動電圧は、事実上、＋１５Ｖ／−１５Ｖから＋１６Ｖ／−１４Ｖに偏移されるであろう。その結果、ピクセルは、正または負の残留電圧を有するかどうかに応じて、暗色または白色状態に向かって付勢されるであろう。さらに、本影響は、残留電圧の減衰率に起因して、経過時間に伴って変動する。前の画像更新の直後に１５Ｖの３００ｍｓ駆動パルスを使用して白色に切り替えられるピクセル内の電気光学材料は、実際には、３００ｍｓにわたって１６Ｖにより近い波形を被り得る一方、正確に同一の駆動パルス（１５Ｖ、３００ｍｓ）を使用して１分後に白色に切り替えられるピクセル内の材料は、実際には、３００ｍｓにわたって１５．２Ｖにより近い波形を被り得る。その結果、ピクセルは、白色の著しく異なる陰影を示し得る。
【０００７】
残留電圧場が、前の画像による複数のピクセルを横断して生成された場合（例えば、白色背景上の暗色線）、残留電圧もまた、類似パターンでディスプレイを横断して整列され得る。実際の問題として、ディスプレイ性能に及ぼす残留電圧の最も顕著な影響は、残影であり得る。本問題は、前述に記載された問題、すなわち、ＤＣ非平衡（例えば、１５Ｖ／１５Ｖの代わりに、１６Ｖ／１４Ｖ）に加え、電気光学媒体のゆっくりとした寿命劣化の原因であり得る。
【０００８】
残留電圧が、ゆっくりと減衰し、ほぼ一定である場合、波形を偏移させる際のその影響は、画像更新毎に変動せず、実際には、迅速に減衰する残留電圧ほど残影を生成し得ない。したがって、１０分後にあるピクセルを更新し、１１分後に別のピクセルを更新することによって被られる残影は、直ちにあるピクセルを更新し、１分後に別のピクセルを更新することによって被られる残影をはるかに下回る。逆に言えば、次の更新が生じる前にゼロに近づくように迅速に減衰する残留電圧は、実際は、検出可能な残影を引き起こし得ない。
【０００９】
複数の潜在的残留電圧源が、存在する。残留電圧の１つの大きな原因は、ディスプレイを形成する種々の層の材料内のイオン分極であると考えられる（但し、いくつかの実施形態は、本考えによっていかようにも限定されない）。
【００１０】
要約すると、現象としての残留電圧は、画像更新間の経過時間に伴って変動し得るある程度の重大性を伴って、種々の点において、画像残影または視覚的アーチファクトとして現れ得る。残留電圧はまた、ＤＣ非平衡を生成し、最終ディスプレイ寿命を短縮させ得る。残留電圧の影響は、したがって、電気泳動または他の電気光学デバイスの品質に有害であって、残留電圧自体および残留電圧の影響に対するデバイスの光学状態の感度の両方を最小限にすることが望ましくあり得る。
【００１１】
したがって、電気光学ディスプレイの残留電圧を放電させることは、残留電圧がすでに低い状況でも、表示される画像の品質を改良し得る。本発明者らは、電気光学ディスプレイの残留電圧を放電させるための従来の技法が、残留電圧を完全に放電させない場合があることを認識および理解している。すなわち、残留電圧を放電させる従来の技法は、電気光学ディスプレイが少なくとも低残留電圧を留保する結果をもたらし得る。したがって、残留電圧を電気光学ディスプレイからより完全に放電させるための技法が、必要とされる。
【発明の概要】
【課題を解決するための手段】
【００１２】
本明細書に提示される主題は、少なくとも１つのディスプレイピクセルを有するディスプレイピクセルを駆動するための方法を提供する。本方法は、波形を少なくとも１つのディスプレイピクセルに印加するステップと、浮遊状態をディスプレイピクセル上で維持するステップと、ディスプレイピクセルを短絡させるステップとを含んでもよい。
【図面の簡単な説明】
【００１３】
【図１】図１は、電気泳動ディスプレイを表す、回路図である。
【００１４】
【図２】図２は、電気光学結像層の回路モデルを示す。
【００１５】
【図３】図３は、例示的な浮遊に続く短絡（ＦＴＳ）波形のブロック図を図示する。
【００１６】
【図４】図４は、例示的ＦＴＳ波形のタイミング図を図示する。
【００１７】
【図５】図５は、ＦＴＳ方法を使用したディスプレイ性能を図示する。
【００１８】
【図６】図６は、本明細書に提示されるＦＴＳ方法のための例示的実装を図示する。
【００１９】
【図７】図７は、本明細書に提示されるＦＴＳ方法の別の実装を図示する。
【発明を実施するための形態】
【００２０】
用語「電気光学」は、材料またはディスプレイに適用されるように、画像化技術分野におけるその従来的な意味で使用され、少なくとも１つの光学特性が異なる第１および第２の表示状態を有する材料であって、材料への電場の印加によって、その第１の表示状態からその第２の表示状態に変化される、材料を指すために、本明細書で使用される。光学特性は、典型的には、ヒトの眼に知覚可能な色であるが、光学透過率、反射率、ルミネッセンス、または機械読取のために意図されるディスプレイの場合、可視範囲外の電磁波長の反射の変化の意味における擬似色等の別の光学特性であってもよい。
【００２１】
用語「グレー状態」は、画像化技術分野におけるその従来的な意味で本明細書で使用され、２つの極端なピクセルの光学的状態の中間の状態を指し、必ずしも黒と白とのこれらの２つの極端な状態の間の遷移を意味するわけではない。例えば、下記に参照されるいくつかのＥ  Ｉｎｋの特許および公開された出願は、極端な状態が白および濃青であり、中間の「グレー状態」が実際には薄青になる電気泳動ディスプレイを説明している。実際、すでに述べたように、光学的状態の変化は、色の変化では全くない場合もある。用語「黒」および「白」は、ディスプレイの２つの極端な光学的状態を指すように以下で使用される場合があり、例えば、前述の白および濃青状態等の厳密には黒および白ではない極端な光学的状態を通常含むものとして理解されるべきである。用語「モノクロ」は、以降、介在グレー状態を伴わず、ピクセルをその２つの極端な光学状態のみに駆動させる、駆動スキームを指すために使用され得る。
【００２２】
下記の議論の多くは、初期グレーレベルから最終グレーレベル（初期グレーレベルと異なる場合とそうではない場合がある）への遷移を通して、電気光学ディスプレイの１つ以上のピクセルを駆動するための方法に焦点を当てるであろう。用語「波形」は、ある具体的初期グレーレベルから具体的最終グレーレベルへの遷移をもたらすために使用される、時間曲線に対する電圧全体を示すために使用されるであろう。典型的には、そのような波形は、複数の波形要素を備えるであろう。すなわち、これらの要素が、本質的に、長方形である場合（すなわち、所与の要素が、ある時間周期にわたって、一定電圧の印加を備える場合）、要素は、「パルス」または「駆動パルス」と呼ばれ得る。用語「駆動スキーム」は、具体的ディスプレイに関するグレーレベル間のあらゆる可能性として考えられる遷移をもたらすために十分な波形のセットを示す。いくつかの実施形態では、波形または駆動波形は、ディスプレイピクセルを所望の光学状態に駆動するように構成される、複数の駆動パルスを含んでもよい。複数の駆動パルス間にある場合、ディスプレイピクセルは、浮遊状態に保たれ得る。いくつかの実施形態では、ディスプレイが、本浮遊状態にあるとき、ディスプレイピクセルのトランジスタ（例えば、下記図１の要素１２０参照）は、非伝導状態にあり得る、例えば、ピクセルのトランジスタのゲート電圧は、低くあり得る。
【００２３】
実際は、ディスプレイは、１つを上回る駆動スキームを利用してもよい。例えば、前述の米国特許第７，０１２，６００号は、駆動スキームが、ディスプレイの温度またはその寿命の間に動作中であった時間等のパラメータに応じて、修正される必要があり得、したがって、ディスプレイが、異なる温度等で使用されるための複数の異なる駆動スキームを具備してもよいことを教示する。このように使用される駆動スキームのセットは、「関連駆動スキームのセット」と称され得る。また、前述のＭＥＤＥＯＤ出願のうちのいくつかに説明されるように、１つを上回る駆動スキームを同一ディスプレイの異なる面積内で同時に使用することも可能性として考えられ、このように使用される駆動スキームのセットは、「同時駆動スキームのセット」と称され得る。
【００２４】
いくつかの電気光学材料は、材料が中実外部表面を有するという意味において、中実であるが、材料は、内部液体またはガス充填空間を有する場合があり、多くの場合、そうである。中実電気光学材料を使用する、そのようなディスプレイは、以降、便宜上、「中実電気光学ディスプレイ」と称され得る。したがって、用語「中実電気光学ディスプレイ」は、回転二色部材ディスプレイ、カプセル化された電気泳動ディスプレイ、マイクロセル電気泳動ディスプレイ、およびカプセル化された液晶ディスプレイを含む。
【００２５】
用語「双安定」および「双安定性」は、当技術分野におけるそれらの従来の意味で、少なくとも１つの光学特性が異なる第１および第２の表示状態を有する表示要素を備えるディスプレイであって、第１または第２の表示状態のうちのいずれか一方を呈するように、有限持続時間のアドレス指定パルスを用いて、所与の要素が駆動されてから、アドレス指定パルスが終了した後に、表示要素の状態を変化させるために必要とされるアドレス指定パルスの最小持続時間の少なくとも数倍、例えば、少なくとも４倍、その状態が続くようなディスプレイを指すために、本明細書で使用される。米国特許第７，１７０，６７０号では、グレースケール対応のいくつかの粒子ベースの電気泳動ディスプレイが、その極端な黒および白状態においてだけではなく、また、その中間グレー状態においても、安定しており、同じことは、いくつかの他のタイプの電気光学ディスプレイにも当てはまることが示されている。本タイプのディスプレイは、適切には、双安定性ではなく、「多安定性」と呼ばれるが、便宜上、用語「双安定性」が、本明細書では、双安定性および多安定性ディスプレイの両方を網羅するために使用され得る。
【００２６】
いくつかのタイプの電気光学ディスプレイが、公知である。１つのタイプの電気光学ディスプレイは、例えば、米国特許第５，８０８，７８３号、第５，７７７，７８２号、第５，７６０，７６１号、第６，０５４，０７１号、６，０５５，０９１号、第６，０９７，５３１号、第６，１２８，１２４号、第６，１３７，４６７号、および第６，１４７，７９１号に説明されるような回転二色部材タイプである（本タイプのディスプレイは、多くの場合、「回転二色ボール」ディスプレイと称されるが、前述の特許のうちのいくつかでは、回転部材が球状ではないため、用語「回転二色部材」の方がより正確なものとして好ましい）。そのようなディスプレイは、異なる光学特性を伴う２つ以上の区分と、内部双極子とを有する、多数の小さい本体（典型的には、球状または円筒形）を使用する。これらの本体は、マトリクス内に液体が充填された空胞の中に懸濁され、空胞は、本体が自由に回転するように、液体で充填されている。ディスプレイの外観は、そこに電場を印加し、したがって、本体を種々の位置に回転させ、視認表面を通して見られる本体の区分を変動させることによって、変更される。本タイプの電気光学媒体は、典型的には、双安定性である。
【００２７】
長年にわたり研究および開発の関心の対象である、あるタイプの電気光学ディスプレイは、粒子ベースの電気泳動ディスプレイであって、複数の帯電粒子が、電場の影響下で流体を通って移動する。電気泳動ディスプレイは、液晶ディスプレイと比較したときに、良好な輝度およびコントラスト、広視野角、状態双安定、および低電力消費の属性を有することができる。それにもかかわらず、これらのディスプレイの長期画質に関する問題は、その広範な使用を妨げている。例えば、電気泳動ディスプレイを構成する、粒子は、沈降し、これらのディスプレイにとって不適正な有効寿命をもたらす傾向にある。
【００２８】
上述のように、電気泳動媒体は、流体の存在を必要とする。殆どの先行技術の電気泳動媒体では、この流体は、液体であるが、電気泳動媒体は、ガス状流体を使用して生成され得る（例えば、Ｋｉｔａｍｕｒａ，  Ｔ．，  ｅｔ  ａｌ．“Ｅｌｅｃｔｒｉｃａｌ  ｔｏｎｅｒ  ｍｏｖｅｍｅｎｔ  ｆｏｒ  ｅｌｅｃｔｒｏｎｉｃ  ｐａｐｅｒ−ｌｉｋｅ  ｄｉｓｐｌａｙ”，  ＩＤＷ  Ｊａｐａｎ，  ２００１，  Ｐａｐｅｒ  ＨＣＳ１−１、およびＹａｍａｇｕｃｈｉ，  Ｙ．，  ｅｔ  ａｌ．，“Ｔｏｎｅｒ  ｄｉｓｐｌａｙ  ｕｓｉｎｇ  ｉｎｓｕｌａｔｉｖｅ  ｐａｒｔｉｃｌｅｓ  ｃｈａｒｇｅｄ  ｔｒｉｂｏｅｌｅｃｔｒｉｃａｉｌｙ”，  ＩＤＷ  Ｊａｐａｎ，  ２００１，  Ｐａｐｅｒ  ＡＭＤ４−４参照）。同様に、米国特許第７，３２１，４５９号および第７，２３６，２９１号も参照されたい。そのようなガスベース電気泳動媒体は、例えば、媒体が垂直プレーンに配置される看板等、媒体がそのような沈降を可能にする配向で使用されるときに、粒子沈降のために液体ベース電気泳動媒体と同じ種類の問題の影響を受けやすいと考えられる。実際、粒子沈降は、電気泳動粒子のより高速の沈降を可能にする液体の粘度と比較して、ガス状懸濁流体のより低い粘度のため、液体ベース電気泳動媒体よりもガスベース電気泳動媒体において深刻な問題であると考えられる。
【００２９】
Ｍａｓｓａｃｈｕｓｅｔｔｓ  Ｉｎｓｔｉｔｕｔｅ  ｏｆ  Ｔｅｃｈｎｏｌｏｇｙ（ＭＩＴ）およびＥ  Ｉｎｋ  Ｃｏｒｐｏｒａｔｉｏｎに譲渡された、またはそれらの名義の多数の特許および出願は、カプセル化された電気泳動および他の電気光学媒体に使用される種々の技術を説明している。そのようなカプセル化された媒体は、多数の小型カプセルを含み、そのそれぞれはそれ自体、電気泳動により移動可能な粒子を流体媒体中に含有する内相と、内相を包囲するカプセル壁とを含む。典型的には、カプセルは、それ自体が、ポリマー接着剤内に保持され、２つの電極間に位置付けられる密着した層を形成する。これらの特許および出願に説明される技術としては、以下が挙げられる。
【００３０】
（ａ）電気泳動粒子、流体、および流体添加物（例えば、米国特許第７，００２，７２８号および第７，６７９，８１４号参照）
【００３１】
（ｂ）カプセル、結合剤、およびカプセル化プロセス（例えば、米国特許第６，９２２，２７６号および第７，４１１，７１９号参照）
【００３２】
（ｃ）マイクロセル構造、壁材料、およびマイクロセルを形成する方法（例えば、米国特許第７，０７２，０９５号および第９，２７９，９０６号参照）
【００３３】
（ｄ）マイクロセルを充填およびシールするための方法（例えば、米国特許第７，１４４，９４２号および第７，７１５，０８８号参照）
【００３４】
（ｅ）電気光学材料を含有するフィルムおよびサブアセンブリ（例えば、米国特許第６，９８２，１７８号および第７，８３９，５６４号参照）
【００３５】
（ｆ）バックプレーン、接着剤層、および他の補助層、およびディスプレイに使用される方法（例えば、米国特許第７，１１６，３１８号および第７，５３５，６２４号参照）
【００３６】
（ｇ）色形成および色調節（例えば、米国特許第７，０７５，５０２号および第７，８３９，５６４号参照）
【００３７】
（ｈ）ディスプレイの適用（例えば、米国特許第７，３１２，７８４号および第８，００９，３４８号参照）
【００３８】
（ｉ）非電気泳動ディスプレイ（例えば、米国特許第６，２４１，９２１号および米国特許出願公開第２０１５／０２７７１６０号参照）およびディスプレイ以外のカプセル化およびマイクロセル技術の適用（例えば、米国特許出願公開第２０１５／０００５７２０号および第２０１６／００１２７１０号参照）
【００３９】
ディスプレイを駆動するための方法
【化１−１】
2020528575.tif 000003
【化１−２】
2020528575.tif 000004
【００４０】
前述の特許および出願の多くは、カプセル化電気泳動媒体内の離散マイクロカプセルを囲繞する壁が、連続相と置換され得、したがって、いわゆる高分子分散電気泳動ディスプレイを生成し、その中で、電気泳動媒体が、電気泳動流体の複数の離散液滴と、高分子材料の連続相とを備え、そのような高分子分散電気泳動ディスプレイ内の電気泳動流体の離散液滴が、離散カプセル膜が各個々の液滴と関連付けられない場合でも、カプセルまたはマイクロカプセルと見なされ得ることを認識する。例えば、前述の第２００２／０１３１１４７号を参照されたい。故に、本願の目的のために、そのような高分子分散電気泳動媒体は、カプセル化電気泳動媒体の亜種と見なされる。
【００４１】
関連タイプの電気泳動ディスプレイは、いわゆる「マイクロセル電気泳動ディスプレイ」である。マイクロセル電気泳動ディスプレイでは、荷電粒子および懸濁流体は、マイクロカプセル内にカプセル化されず、代わりに、担体媒体、例えば、ポリマーフィルム内に形成される複数の空洞内に留保される。例えば、国際出願公開第ＷＯ０２／０１２８１号および公開された米国出願第２００２／００７５５５６号（両方とも、Ｓｉｐｉｘ  Ｉｍａｇｉｎｇ，  Ｉｎｃ．に譲渡されている）を参照されたい。
【００４２】
前述のＥ  ＩＮＫおよびＭＩＴ特許および出願の多くはまた、マイクロセル電気泳動ディスプレイおよびポリマー分散電気泳動ディスプレイを検討する。用語「カプセル化された電気泳動ディスプレイ」は、あらゆるそのようなディスプレイタイプを指し得、これはまた、壁の形態を横断して一般化するために、集合的に、「マイクロキャビティ電気泳動ディスプレイ」と説明され得る。
【００４３】
別のタイプの電気光学ディスプレイは、Ｐｈｉｌｉｐｓによって開発され、Ｈａｙｅｓ，  Ｒ．  Ａ．，  ｅｔ  ａｌ．の「Ｖｉｄｅｏ−Ｓｐｅｅｄ  Ｅｌｅｃｔｒｏｎｉｃ  Ｐａｐｅｒ  Ｂａｓｅｄ  ｏｎ  Ｅｌｅｃｔｒｏｗｅｔｔｉｎｇ」，  Ｎａｔｕｒｅ，  ４２５、３８３−３８５（２００３）に説明される、エレクトロウェッティングディスプレイである。２００４年１０月６日に出願された同時係属中の出願第１０／７１１，８０２号では、そのようなエレクトロウェッティングディスプレイは、双安定にされ得ることが示される。
【００４４】
他のタイプの電気光学材料もまた、使用されてもよい。特に着目すべきこととして、双安定強誘電液晶ディスプレイ（ＦＬＣ）が、当技術分野において公知であって、残留電圧挙動を呈している。
【００４５】
電気泳動媒体は、不透明であって（例えば、多くの電気泳動媒体では、粒子は、ディスプレイを通した可視光の透過を実質的に遮断するため）、反射モードで動作し得るが、いくつかの電気泳動ディスプレイは、あるディスプレイ状態が、実質的に不透明であって、あるディスプレイ状態が、光透過性である、いわゆる「シャッタモード」で動作するようにされることができる。例えば、米国特許第６，１３０，７７４号および第６，１７２，７９８号および米国特許第５，８７２，５５２号、第６，１４４，３６１号、第６，２７１，８２３号、第６，２２５，９７１号、および第６，１８４，８５６号を参照されたい。電気泳動ディスプレイに類似するが、電場強度の変動に依拠する、誘電泳動ディスプレイは、類似モードで動作することができる。米国特許第４，４１８，３４６号を参照されたい。他のタイプの電気光学ディスプレイもまた、シャッタモードで動作することが可能であり得る。
【００４６】
高分解能ディスプレイは、個々のピクセルを含んでもよく、これは、隣接するピクセルからの干渉を伴わずに、アドレス指定可能である。そのようなピクセルを取得するための１つの方法は、トランジスタまたはダイオード等の非線形要素のアレイを提供することであって、少なくとも１つの非線形要素は、各ピクセルと関連付けられ、「アクティブ行列」ディスプレイを生産する。１つのピクセルをアドレス指定する、アドレス指定またはピクセル電極は、関連付けられた非線形要素を通して、適切な電圧源に接続される。非線形要素が、トランジスタであるとき、ピクセル電極は、トランジスタのドレインに接続されてもよく、本配列が、以下の説明では仮定されるであろうが、本質的に、恣意的であって、ピクセル電極は、トランジスタのソースにも接続され得る。高分解能アレイでは、ピクセルは、任意の具体的ピクセルが、１つの規定された行および１つの規定された列の交点によって一意に画定されるように、行および列の２次元アレイで配列されてもよい。各列内の全てのトランジスタのソースは、単一列電極に接続されてもよい一方、各行内の全てのトランジスタのゲートは、単一行電極に接続されてもよい。再び、行へのソースおよび列へのゲートの割当は、所望に応じて、逆転されてもよい。
【００４７】
ディスプレイは、行毎様式で書き込まれてもよい。行電極は、行ドライバに接続され、これは、選択された行電極に、選択された行内の全てのトランジスタが伝導であることを確実にするような電圧を印加する一方、全ての他の行に、これらの非選択された行内の全てのトランジスタが非伝導のままであることを確実にするような電圧を印加してもよい。列電極は、列ドライバに接続され、これは、種々の列電極に、選択された行内のピクセルをその所望の光学状態に駆動するように選択される電圧をかける。（前述の電圧は、電気光学媒体の非線形アレイと対向側上に提供され、全体的ディスプレイを横断して延在し得る、コモン正面電極に対するものである。当技術分野において公知のように、電圧は、相対的であって、２つの点間の電荷差の測定値である。一方の電圧値は、別の電圧値に対するものである。例えば、ゼロ電圧（「０Ｖ」）は、別の電圧に対して無電圧差を有することを指す。）「ラインアドレス時間」として知られる事前に選択された間隔後、選択された行は、選択解除され、別の行が、選択され、列ドライバ上の電圧は、ディスプレイの次のラインが書き込まれるように変化される。
【００４８】
しかしながら、使用時、ある波形が、残留電圧を電気光学ディスプレイのピクセルに生産し得、上記の議論から明白なように、本残留電圧は、いくつかの望ましくない光学効果を生産し、一般に、望ましくない。
【００４９】
本明細書に提示されるように、アドレス指定パルスと関連付けられた光学状態における「偏移」は、電気光学ディスプレイへの特定のアドレス指定パルスの最初の印加が、第１の光学状態（例えば、第１のグレー色調）をもたらし、電気光学ディスプレイへの同一アドレス指定パルスの後続印加が、第２の光学状態（例えば、第２のグレー色調）をもたらす、状況を指す。残留電圧は、アドレス指定パルスの印加の間、電気光学ディスプレイのピクセルに印加される電圧が、残留電圧およびアドレス指定パルスの電圧の和を含むため、光学状態における偏移を発生させ得る。
【００５０】
ディスプレイの光学状態における経時的「ドリフト」は、ディスプレイが静止している間（例えば、アドレス指定パルスがディスプレイに印加されない周期の間）、電気光学ディスプレイの光学状態が変化する、状況を指す。残留電圧は、ピクセルの光学状態が、ピクセルの残留電圧に依存し得、ピクセルの残留電圧が、経時的に減衰し得るため、光学状態におけるドリフトを発生させ得る。
【００５１】
上記に議論されるように、「残影」は、電気光学ディスプレイが、書き換えられた後、前の画像の痕跡が、依然として、可視である、状況を指す。残留電圧は、前の画像の一部の輪郭（エッジ）が可視のままである、残影のタイプである、「エッジ残影」を発生させ得る。
【００５２】
用語「光学キックバック」は、本明細書では、少なくとも部分的に、ピクセルの残留電圧の放電に起因して生じた、ピクセルの光学状態の変化を説明するために使用される。
【００５３】
図１は、本明細書に提起される主題による、電気光学ディスプレイのピクセル１００の概略を示す。ピクセル１００は、結像フィルム１１０を含んでもよい。いくつかの実施形態では、結像フィルム１１０は、双安定であってもよい。いくつかの実施形態では、結像フィルム１１０は、限定ではないが、カプセル化された電気泳動結像フィルムを含んでもよく、これは、例えば、荷電顔料粒子を含んでもよい。
【００５４】
結像フィルム１１０は、正面電極１０２と背面電極１０４との間に配置されてもよい。正面電極１０２は、結像フィルムとディスプレイの正面との間に形成されてもよい。いくつかの実施形態では、正面電極１０２は、透明であってもよく、限定ではないが、インジウムスズ酸化物（ＩＴＯ）を含む、任意の好適な透明材料から形成されてもよい。背面電極１０４は、正面電極１０２の反対に形成されてもよい。いくつかの実施形態では、寄生静電容量（図示せず）が、正面電極１０２と背面電極１０４との間に形成され得る。
【００５５】
ピクセル１００は、複数のピクセルのうちの１つであってもよい。複数のピクセルは、行および列の２次元アレイで配列され、任意の具体的ピクセルが、１つの規定された行および１つの規定された列の交点によって一意に画定および／または駆動されるように、行列を形成してもよい。いくつかの実施形態では、ピクセルの行列は、各ピクセルが、少なくとも１つの非線形回路要素１２０と関連付けられる、「アクティブ行列」であってもよい。非線形回路要素１２０が、背面電極１０４とアドレス指定電極１０８との間に結合されてもよい。いくつかの実施形態では、非線形要素１２０は、ダイオードおよび／または、限定ではないが、ＭＯＳＦＥＴを含む、トランジスタを含んでもよい。ＭＯＳＦＥＴのドレイン（またはソース）は、背面電極１０４に結合されてもよく、ＭＯＳＦＥＴのソース（またはドレイン）は、アドレス指定電極１０８に結合されてもよく、ＭＯＳＦＥＴのゲートは、ＭＯＳＦＥＴのアクティブ化および非アクティブ化を制御するように構成される、ドライバ電極１０６に結合されてもよい。（便宜上、背面電極１０４に結合される、ＭＯＳＦＥＴの終端は、ＭＯＳＦＥＴのドレインと称され、アドレス指定電極１０８に結合される、ＭＯＳＦＥＴの終端は、ＭＯＳＦＥＴのソースと称されるであろう。しかしながら、当業者は、いくつかの実施形態では、ＭＯＳＦＥＴのソースおよびドレインは、交換されてもよいことを認識するであろう。）
【００５６】
アクティブ行列のいくつかの実施形態では、各列内の全てのピクセルのアドレス指定電極１０８は、同一列電極に接続されてもよく、各行内の全てのピクセルのドライバ電極１０６は、同一行電極に接続されてもよい。行電極は、行ドライバに接続されてもよく、これは、選択された行電極に、選択された行内の全てのピクセル１００の非線形要素１２０をアクティブ化するために十分な電圧を印加することによって、ピクセルの１つ以上の行を選択してもよい。列電極は、列ドライバに接続されてもよく、これは、選択された（アクティブ化された）ピクセルのアドレス指定電極１０６に、ピクセルを所望の光学状態に駆動するために好適な電圧をかけてもよい。アドレス指定電極１０８に印加される電圧は、ピクセルの正面電極１０２に印加される電圧（例えば、約ゼロボルトの電圧）に対するものであってもよい。いくつかの実施形態では、アクティブ行列内の全てのピクセルの正面電極１０２は、コモン電極に結合されてもよい。
【００５７】
いくつかの実施形態では、アクティブ行列のピクセル１００は、行毎様式で書き込まれてもよい。例えば、ピクセルの行は、行ドライバによって選択されてもよく、ピクセルの行に関する所望の光学状態に対応する電圧が、列ドライバによって、ピクセルに印加されてもよい。「ラインアドレス時間」として知られる事前に選択された間隔後、選択された行は、選択解除されてもよく、別の行が、選択されてもよく、列ドライバ上の電圧は、ディスプレイの別のラインが書き込まれるように変化されてもよい。
【００５８】
図２は、本明細書に提示される主題による、正面電極１０２と背面電極１０４との間に配置される電気光学結像層１１０の回路モデルを示す。抵抗器２０２およびコンデンサ２０４は、任意の接着剤層を含む、電気光学結像層１１０、正面電極１０２、および背面電極１０４の抵抗および静電容量を表し得る。抵抗器２１２およびコンデンサ２１４は、積層接着剤層の抵抗および静電容量を表し得る。コンデンサ２１６は、正面電極１０２と背面電極１０４との間、例えば、結像層と積層接着剤層との間および／または積層接着剤層と背面電極との間の界面等の層間の界面接触面積に形成され得る、静電容量を表し得る。ピクセルの結像フィルム１１０を横断した電圧Ｖｉは、ピクセルの残留電圧を含み得る。
【００５９】
ピクセルの残留電圧を放電させることは、限定ではないが、下記の図３にさらに詳細に図示されるように、信号のセットを含む、任意の好適な信号のセットをピクセルに印加することによって開始および／または制御され得る。
【００６０】
図３は、本明細書に提示される主題による、残留電圧を低減させるための信号のセットの一例示的実施形態を図示する。１つ以上の駆動波形または信号（すなわち、１つ以上の正および／または負の電圧パルス）が、ディスプレイピクセルに印加された後、ピクセルは、ある時間周期（例えば、１〜１０秒）にわたって、浮遊状態（すなわち、ピクセルが実質的に隔離される、または任意の伝導経路に接続されていないかのような状態）に置かれ得、続いて、ピクセルは、次の更新時間まで、実質的に短絡され得る。実際は、ディスプレイピクセルが、本浮遊状態にあるとき、ディスプレイからの漏れ電流は、開放された接続がディスプレイピクセルと任意の伝導経路との間に存在するかのように無視され得るように、非常に低い。例えば、トランジスタであり得る、図１に示されるように、ディスプレイピクセルに結合される、非線形要素１２０は、オフまたは非伝導状態にあり得、事実上、ディスプレイピクセルへの開回路として機能し、ディスプレイピクセルを浮遊状態に置き得る。いくつかの他の実施形態では、高インピーダンス要素または回路が、開回路として実質的に機能し（但し、例えば、漏れ電流を低下させる）、ディスプレイピクセルを任意の伝導経路から隔離し、ディスプレイピクセルを浮遊状態に置くために使用されてもよい。
【００６１】
図３に図示される、浮遊に続く短絡（ＦＴＳ）パターンに戻って参照すると、一般に、本作用原理は、駆動波形が、各セグメントのうちの１つを上回るものを有する限り、任意の数の短絡および浮遊セグメントを網羅する。
【００６２】
いくつかの実施形態では、薄膜トランジスタ（ＴＦＴ）における比較的に長い短絡持続時間が、例えば、浮遊させ、いくつかのゼロボルトフレームをディスプレイに駆動させる周期の後、更新間周期の間、ディスプレイをウェイクさせることによって、実装されてもよい。ディスプレイは、続いて、浮遊状態に戻ってもよい、または次の更新前に、浮遊と０Ｖ駆動との間で任意の回数だけ交互してもよい。本方式では、更新間周期の間、ディスプレイは、低外部放電（すなわち、高インピーダンスまたは浮遊）の後、高外部放電（すなわち、低インピーダンス、短絡、またはゼロボルト駆動）が続く周期を被り得る。
【００６３】
一実施例では、サンプルインク（例えば、ＥＩｎｋＴＭＶ２２０インク）のガラスが、図４に図示されるように、１５Ｖで０．２４秒、０Ｖで１秒、次いで、−１５Ｖで０．７４秒の非平衡波形を用いて動作された。図４に示されるように、各更新後、続いて、１秒部分（ａ）および７秒部分（ｂ）に分割される、８秒の更新間周期が続き得る。４つのサンプルピクセルでは、個々のピクセルが、下記の表１に提示されるように、更新間周期（ａ）および（ｂ）の間、短絡または浮遊の異なる組み合わせで駆動され得る。本インクのガラスは、４０日にわたって稼働され、各サンプルピクセルの残留電圧および光学状態が、測定され、また、表１に示される。サンプルの裏側のｂ＊は、恒久的損傷の測定値であって、浮遊に続く短絡（ＦＴＳ）パターンは、損傷の証拠を示さなかった一方、浮遊のみの方法および短絡に続く浮遊（ＳＴＦ）および短絡のみの方法は両方とも、有意なキックバックを示した。
【表１】
2020528575.tif 000005
【００６４】
いくつかの実施形態では、短期光学キックバックを緩和する有効性が、評価されてもよく、具体的ディスプレイに関する浮遊セグメントの最適持続時間が、決定されてもよい。例えば、セグメント化されたＰＣＢバックプレーン（例えば、Ｅｌ  Ｄｏｒａｄｏ）上のＥＰＤサンプル（例えば、Ｖ２３０ＭＬＴ  ＦＰＬディスプレイ）が、１４４０ｍｓ＋／−１５Ｖパルスで駆動され、次いで、０、０．５、１、３、５、または１０秒にわたって電気的に浮遊され、次いで、光学明度がＬ＊単位で測定される前に、３０秒にわたって電気的に短絡されてもよい。白色状態と暗色状態Ｌ＊との間の差異は、ダイナミックレンジ（ＤＲ）である。これは、０Ｃ、１０Ｃ、２５Ｃ、および５０Ｃの温度でディスプレイを用いて実施された。結果は、図５に示され、これは、十分な持続時間の短浮遊周期が、駆動パルス後の短絡より有意な改良を達成し、不定浮遊持続時間の性能に近づくことができることを図示する。
【００６５】
これらの２つの実験間において、ＦＴＳ方法が、長期損傷を緩和する際の短絡として効果的であって、同時に、短期キックバックを緩和する際の浮遊として効果的であり得ることが示され得る。
【００６６】
要するに、浮遊は、駆動セグメント後、短期キックバックを緩和し、短絡は、長期残留電圧効果を緩和する。駆動セグメント直後にピクセルを浮遊させることは、短期残留電圧が内部減衰する間、顔料がキックバックすることを防止する。短期残留が、内部減衰した後、ピクセルは、短絡され、光学キックバックを誘発せずに、長期残留電圧を放電させ得る。
【００６７】
実際は、本明細書に説明される駆動方法は、種々の方法で実装されてもよい。例えば、ディスプレイピクセルは、伝導経路を通して駆動波形を印加するための手段（例えば、ドライバまたはコントローラ）、に結合されるため、伝導経路のインピーダンス値は、種々の方法で調節され、ディスプレイピクセルのための開回路状状態を作成し、それによって、上記に説明されるように、ディスプレイピクセルを実質的浮遊状態に置いてもよい。いくつかの実施形態では、本伝導経路のインピーダンス値を調節するための手段は、スイッチ、トランジスタ、インピーダンス回路、または調節可能インピーダンス回路であってもよい。
【００６８】
いくつかの実施形態では、本明細書に提示される主題は、図６に図示されるものに類似するシステムを用いて実装されてもよい。そのような実装は、限定ではないが、１つ以上の電子的に制御されるスイッチ、弁、またはトランジスタを使用することによって遂行されてもよく、これは、ディスプレイ上面および／または背面をディスプレイ駆動電子機器から接続解除する、駆動電子機器とインラインの２つ以上の抵抗器間で切り替える、またはディスプレイ端末を横断していくつかの抵抗または電気短絡に接続することができる。図６に示されるのは、コントローラまたはドライバ６１０からの電圧出力（ＶＯＵＴ）をＥＰＤ６１４に接続する、スイッチ６１２であって、スイッチは、イネーブル信号ＥＮ６１６によってアクティブ化されてもよい。本構成は、上記に述べられるように、ＥＰＤを実質的に浮遊状態に置くことを可能にする（例えば、ＥＮ信号を印加し、スイッチ６１２を開放し、それによって、開回路をＶＯＵＴに作成する）。スイッチ６１２は、ＶＯＵＴまたはＶＣＯＭ上にあってもよい、または２つのスイッチは、両ライン上に設置されてもよい。スイッチ６１２は、実際、リードスイッチまたはリレー等の物理的スイッチであってもよい、またはアナログスイッチ等の等価電子デバイスを備えてもよい。スイッチ６１２の機能はまた、高インピーダンス出力モードを使用して、ドライバと組み合わせられる場合がある。
【００６９】
いくつかの他の実施形態では、ディスプレイへのディスプレイ駆動電子機器の出力インピーダンスを修正する、任意のシステムはまた、図７に図示されるように、ディスプレイ画像更新間の周期の間の出力インピーダンスも修正する。図示されるように、インピーダンス回路７１０は、イネーブル信号ＥＮ７１８を使用して、コントローラ７１２によって制御されてもよい。例えば、ＥＮ７１８信号は、回路７１０がＥＰＤ７１４への開回路として実質的に機能し、上記に説明されるように、事実上、ＥＰＤ７１４を浮遊状態に置くだけ回路７１０のインピーダンス値を増加させ得る。実際は、ドライバ７１６から発生された駆動波形または信号は、最初に、ＥＰＤ７１４に到着する前に、インピーダンス回路７１０を通過するであろう。
【００７０】
多数の変更および修正が、本発明の範囲から逸脱することなく、上記に説明される本発明の具体的実施形態に行われることができることが、当業者に明白となるであろう。故に、前述の説明の全体は、限定的意味ではなく、例証的意味で解釈されるべきである。
【図１】
2020528575.tif 000006
【図２】
2020528575.tif 000007
【図３】
2020528575.tif 000008
【図４】
2020528575.tif 000009
【図５】
2020528575.tif 000010
【図６】
2020528575.tif 000011
【図７】
2020528575.tif 000012
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
少なくとも１つのディスプレイピクセルを備えるディスプレイを駆動するための方法であって、前記方法は、
波形を前記少なくとも１つのディスプレイピクセルに印加するステップと、
浮遊状態を前記ディスプレイピクセル上で維持するステップと、
前記ディスプレイピクセルを短絡させるステップと
を含む、方法。
【請求項２】
前記短絡させるステップは、前記浮遊状態を維持するステップより長い持続時間を有する、請求項１に記載の方法。
【請求項３】
前記浮遊状態を維持するステップの間、電位は、前記少なくとも１つのディスプレイピクセルに印加されない、請求項１に記載の方法。
【請求項４】
前記波形を印加するステップ、前記浮遊状態を維持するステップ、および前記ディスプレイピクセルを短絡させるステップ間の正味電位は、実質的にＤＣ平衡される、請求項１に記載の方法。
【請求項５】
前記浮遊状態を維持するステップは、１〜１０秒の持続時間を有する、請求項１に記載の方法。
【請求項６】
前記浮遊状態を維持するステップは、０〜０．５秒の持続時間である、請求項１に記載の方法。
【請求項７】
前記浮遊状態を維持するステップは、０〜１秒の持続時間である、請求項１に記載の方法。
【請求項８】
前記浮遊状態を維持するステップは、０〜３秒の持続時間である、請求項１に記載の方法。
【請求項９】
前記浮遊状態を維持するステップは、０〜５秒の持続時間である、請求項１に記載の方法。
【請求項１０】
前記短絡させるステップは、０〜３０秒の持続時間である、請求項１に記載の方法。
【請求項１１】
電気光学ディスプレイであって、
少なくとも１つのディスプレイピクセルと、
駆動波形を前記ディスプレイピクセルに印加するために前記少なくとも１つのディスプレイピクセルに結合される伝導経路と、
前記伝導経路のインピーダンス値を調節するための手段と
を備える、電気光学ディスプレイ。
【請求項１２】
前記インピーダンス値を調節するための手段は、スイッチである、請求項１１に記載のディスプレイ。
【請求項１３】
前記インピーダンス値を調節するための手段は、トランジスタである、請求項１１に記載のディスプレイ。
【請求項１４】
前記インピーダンス値を調節するための手段は、インピーダンス回路である、請求項１１に記載のディスプレイ。
【請求項１５】
前記インピーダンス回路のインピーダンス値は、調節可能である、請求項１４に記載のディスプレイ。
【請求項１６】
前記トランジスタは、薄膜トランジスタ（ＴＦＴ）である、請求項１３に記載のディスプレイ。
【手続補正２】
【補正対象書類名】明細書
【補正対象項目名】００１２
【補正方法】変更
【補正の内容】
【００１２】
本明細書に提示される主題は、少なくとも１つのディスプレイピクセルを有するディスプレイピクセルを駆動するための方法を提供する。本方法は、波形を少なくとも１つのディスプレイピクセルに印加するステップと、浮遊状態をディスプレイピクセル上で維持するステップと、ディスプレイピクセルを短絡させるステップとを含んでもよい。
本発明は、例えば、以下を提供する。
（項目１）
少なくとも１つのディスプレイピクセルを備えるディスプレイを駆動するための方法であって、前記方法は、
波形を前記少なくとも１つのディスプレイピクセルに印加するステップと、
浮遊状態を前記ディスプレイピクセル上で維持するステップと、
前記ディスプレイピクセルを短絡させるステップと
を含む、方法。
（項目２）
前記短絡させるステップは、前記浮遊状態を維持するステップより長い持続時間を有する、項目１に記載の方法。
（項目３）
前記浮遊状態を維持するステップの間、電位は、前記少なくとも１つのディスプレイピクセルに印加されない、項目１に記載の方法。
（項目４）
前記波形を印加するステップ、前記浮遊状態を維持するステップ、および前記ディスプレイピクセルを短絡させるステップ間の正味電位は、実質的にＤＣ平衡される、項目１に記載の方法。
（項目５）
前記浮遊状態を維持するステップは、１〜１０秒の持続時間を有する、項目１に記載の方法。
（項目６）
前記浮遊状態を維持するステップは、０〜０．５秒の持続時間である、項目１に記載の方法。
（項目７）
前記浮遊状態を維持するステップは、０〜１秒の持続時間である、項目１に記載の方法。
（項目８）
前記浮遊状態を維持するステップは、０〜３秒の持続時間である、項目１に記載の方法。
（項目９）
前記浮遊状態を維持するステップは、０〜５秒の持続時間である、項目１に記載の方法。
（項目１０）
前記短絡させるステップは、０〜３０秒の持続時間である、項目１に記載の方法。
（項目１１）
電気光学ディスプレイであって、
少なくとも１つのディスプレイピクセルと、
駆動波形を前記ディスプレイピクセルに印加するために前記少なくとも１つのディスプレイピクセルに結合される伝導経路と、
前記伝導経路のインピーダンス値を調節するための手段と
を備える、電気光学ディスプレイ。
（項目１２）
前記インピーダンス値を調節するための手段は、スイッチである、項目１１に記載のディスプレイ。
（項目１３）
前記インピーダンス値を調節するための手段は、トランジスタである、項目１１に記載のディスプレイ。
（項目１４）
前記インピーダンス値を調節するための手段は、インピーダンス回路である、項目１１に記載のディスプレイ。
（項目１５）
前記インピーダンス回路のインピーダンス値は、調節可能である、項目１１に記載のディスプレイ。
【国際調査報告】
2020528575.tif 000013
2020528575.tif 000014